【事件の表示】
　特許第３１７５９８０号「血圧計」の請求項１ないし７に係る特許に対する特許異議の申立てについて、次のとおり決定する。
【結　論】
　訂正を認める。
　特許第３１７５９８０号の請求項１ないし４、６に係る特許を取り消す。
　同請求項５、７に係る特許を維持する。
【理　由】
１．手続の経緯
　特許第３１７５９８０号の請求項１ないし７に係る発明についての出願は、平成４年１０月２日に特許出願されたもので、平成１３年４月６日にその発明について特許の設定登録がなされた後、村野親、安藤義和より、特許異議の申立てがなされ、取消理由通知がなされ、その指定期間内である平成１４年７月１５日に訂正請求がなされたものである。
　
２．訂正の適否についての判断
（１）訂正の内容
　特許権者が求めている訂正の内容は次の訂正事項１）ないし３）のとおりである。
　
・訂正事項１）：特許請求の範囲の請求項１を、
「【請求項１】　腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に重量物である加圧用ポンプユニットや電池を配して、重量物を左右に振り分け配置していることを特徴とする血圧計。」
と訂正する。
　
・訂正事項２）：特許明細書の段落【０００５】を、
「【課題を解決するための手段】
　しかして本発明は、腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に重量物である加圧用ポンプユニットや電池を配して、重量物を左右に振り分け配置していることに特徴を有している。」
と訂正する。
　
・訂正事項３）：特許明細書の段落【００１４】を、
「【発明の効果】
　以上のように本発明においては、本体における重量物は圧迫帯の周方向に沿った両端に振り分けられて配設されているものであり、本体が低重心となる上に、いわゆる「やじろべえ」を構成していることから、腕や手首への装着時に本体が安定した状態を保つものであって、圧迫帯を片手で巻き付ける時もずれるおそれが少なくなっているものであり、被測定者自身による取り付けをきわめて容易に行えるものである。」
と訂正する。
　
（２）訂正の目的の適否、新規事項の有無及び拡張・変更の存否
　訂正事項１）は、請求項１に記載された「夫々重量物が配されている」を「重量物である加圧用ポンプユニットや電池を配して、重量物を左右に振り分け配置している」と限定するものであり、この訂正は、特許請求の範囲の減縮を目的とするものである。
　そして、この訂正は、特許明細書の段落【０００６】の「本体において重量物が圧迫帯の周方向に沿った両端に振り分けられて配設されている」という記載、段落【００１０】の「本体１において一方に張り出した電池収納部１１には重量物である電池６が納められ、他方に張り出したポンプ収納部１２には同じく重量物であるポンプユニット３が納められて、‥‥‥‥電池６の重心Ｐａとポンプユニット３の重心Ｐｂとが左右に振り分けられる」という記載があることから、願書に添付した明細書または図面に記載した事項の範囲内でなされたものであり、また、実質上特許請求の範囲を拡張し又は変更するものではない。
　
　訂正事項２）は、訂正事項１）において訂正された記載との整合をとるために段落【０００５】の記載を訂正するものであり、明りょうでない記載の釈明を目的とするものである。そして、訂正事項２）は、願書に添付した明細書又は図面に記載した事項の範囲内においてされたものであり、また、実質上特許請求の範囲を拡張し、又は変更するものではない。
　
　訂正事項３）は、段落【００１４】に記載された「両端振り分けられて」を「両端に振り分けられて」とするものであり、誤記の訂正を目的とするものである。そして、訂正事項３）は、願書に添付した明細書又は図面に記載した事項の範囲内においてされたものであり、また、実質上特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
（１）特許異議申立人村野親は、本件の請求項１ないし４、６、７に係る発明は、下記甲第１号証ないし甲第１１号証に記載された発明に記載された発明に基づいて当業者が容易に発明をすることができたものであり、本件の請求項１ないし４、６、７に係る発明の特許は、特許法第２９条第２項の規定に違反してなされたものであると主張している。
　
・甲第１号証：特開平２−３４１４３号公報
・甲第２号証：特開昭５３−１４１６６４号公報
・甲第３号証：実開昭６２−２４３９１号公報
・甲第４号証：実公平１−４３０４５号公報
・甲第５号証：特開昭６１−３３６４０号公報
・甲第６号証：特開昭５９−１１５０２５号公報
・甲第７号証：特開昭６０−１９０９３２号公報
・甲第８号証：実開昭６１−１１１４０４号公報
・甲第９号証：意匠登録第６６０６３５号公報
・甲第１０号証：意匠登録第６６０６３５号の類似１公報
・甲第１１号証：意匠登録第７４４３９７号公報
　
（２）特許異議申立人安藤義和は、本件の請求項１ないし７に係る発明は、下記甲第１号証ないし甲第４号証及び参考資料１ないし５に記載された発明に記載された発明に基づいて当業者が容易に発明をすることができたものであり、本件の請求項１ないし７に係る発明の特許は、特許法第２９条第２項の規定に違反してなされたものであると主張している。
　
・甲第１号証：特開平３−２２１０３０号公報
・甲第２号証：特開昭６３−５７２７号公報
・甲第３号証：特開平２−１７０３０号公報
・甲第４号証：特開平２−３４１４３号公報
・参考資料１：特開昭５９−２３２５３１号公報
・参考資料２：実願平１−７１７３３号（実開平３−１２３５３号）のマイ　　　　　　　クロフィルム
・参考資料３：特開昭６２−１０５５７９号公報
・参考資料４：特開昭６４−２１８６２号公報
・参考資料５：特開昭５３−１４１６６４号公報
　
４．本件の請求項１ないし７に係る発明
　本件の請求項１ないし７に係る発明は、訂正明細書及び図面の記載からみて、それぞれ、特許請求の範囲の請求項１ないし７に記載された次のとおりのものである。
「【請求項１】腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に重量物である加圧用ポンプユニットや電池を配して、重量物を左右に振り分け配置していることを特徴とする血圧計。
【請求項２】本体は圧迫帯の周方向と直交する幅方向のほぼ中央位置に重心を有していることを特徴とする請求項１記載の血圧計。
【請求項３】本体内には空気系と電気系の両部品が分けて配設されていることを特徴とする請求項１記載の血圧計。
【請求項４】本体における表示部は本体における圧迫帯の周方向に沿った方向のほぼ中央に配されていることを特徴とする請求項１記載の血圧計。
【請求項５】本体内に配された電磁弁で形成されている急速排気弁は、その閉塞部材による閉塞のための移動方向と閉塞部材の自重移動方向とが一致する方向に配されていることを特徴とする請求項１記載の血圧計。
【請求項６】圧迫帯は弾性を有する円弧状のクリップ板を備えて、本体と圧迫帯とは本体とクリップ板とのフックによる係合で連結されているとともに、本体における圧迫帯の周方向に沿った両端は、上記係合部よりも外側に張り出していることを特徴とする請求項１記載の血圧計。
【請求項７】圧迫帯は弾性を有する円弧状のクリップ板を備えているとともに、腕や手首のほぼ半周を囲む長さとされているクリップ板の一端寄りに本体が連結されていることを特徴とする請求項１記載の血圧計。」
　
５．本件の請求項１に係る発明の特許について
（１）刊行物記載の発明
　当審で通知した取消しの理由で引用した刊行物１（特開平２−３４１４３号公報：村野親が提出した甲第１号証、安藤義和が提出した甲第４号証）には、
「以下本発明を図示の実施例に基づいて説明すると、この血圧計は図からも明かなように、手首に巻き付けられるカフ帯１と、このカフ帯１に直接取り付けられた血圧計本体２とからなるもので、カフ帯１は第２図に示すように、空気袋１１とこれを包む内布１２及び外布１３の他に、外布１３内面と空気袋１１外面との間にいれられたクリップ板１５とから構成され、面状ファスナー１４によって手首に巻き付け固定される。
　ここにおけるクリップ板１５は、可撓性を有する合成樹脂板で形成されたもので、その断面形状が手首の掌側の半周に合わせた形状、つまりは楕円を長軸で切った形状となっており、外周面側からは外布１３を貫通して外部に突出する突部としてのマウント部１６を一体に備えている。
　一方、表面に血圧値表示部２１や操作スイッチ２２、２３が設けられている血圧計本体２は、上記マウント部１６に連結されることでその表面とクリップ板１５の長軸方向とが平行となるようにカフ帯１に取り付けられたもので、クリップ板１５の中央に形成された孔を通じて空気袋１１に接続される圧力センサーや空気ポンプ（図示せず）等を内蔵している。」（第２頁右上欄第３行〜左下欄第５行）、
と記載されている。
　
　また、血圧計本体に電池を内蔵させることは周知慣用の技術事項である（例えば、特開昭５９−２３２５３１号公報（安藤義和が提出した参考資料１）、実願昭５８−１２８７３４号（実開昭６０−３７３０５号）のマイクロフィルム（村野親が提出した甲第４号証を参照のこと）等を参照のこと）。このような技術事項をも考慮すると、刊行物１には
「腕や手首に巻き付けられる圧迫帯に、血圧の測定表示部を備えた本体が一体的に取り付けられた血圧計において、本体は左右の斜め下方に張り出す一対の部分を備えて環状になっている圧迫帯の外周面に添う形状とされ、重量物である加圧用ポンプユニットや電池を内蔵し、上記左右の斜め下方に張り出す一対の部分は本体における圧迫帯の周方向に沿った両端に位置する血圧計。」
という発明が記載されていると認められる。
　
（２）対比・判断
　本件の請求項１に係る発明と刊行物１に記載された発明とを対比すると、両者は、
「腕や手首に巻き付けられる圧迫帯に、血圧の測定表示部を備えた本体が一体的に取り付けられた血圧計において、本体は左右の斜め下方に張り出す一対の部分を備えて環状になっている圧迫帯の外周面に添う形状とされ、重量物である加圧用ポンプユニットや電池を内蔵し、上記左右の斜め下方に張り出す一対の部分は本体における圧迫帯の周方向に沿った両端に位置する血圧計。」
である点で一致し、
　本件の請求項１に係る発明においては、本体の左右の斜め下方に張り出す一対の部分が収納部であり、両収納部内に重量物である加圧用ポンプユニットや電池が配され、重量物が左右に振り分け配置されているのに対し、刊行物１に記載された発明においては、本体の左右の斜め下方に張り出す一対の部分が収納部であるのかがそもそも明確でなく、両収納部内に重量物である加圧用ポンプユニットや電池が配され、重量物が左右に振り分け配置されているのかが明確でない点において相違している（以下、相違点１という。）。
　
　相違点１について検討する。
　刊行物１に記載された発明において、左右の斜め下方に張り出す一対の部分も重量物を収納する本体の一部である以上、当該部分が収納部となり得ることは、当業者には明らかなことである。また、刊行物１の第２図等を参照すると、本体は左右の斜め下方に張り出す一対の部分を含めて左右対称となっており、あえて対称性を崩す必要性は見出せないから、重量物である加圧用ポンプユニットや電池についても左右に振り分けて収納部に配置すればよいことは、当業者であれば容易に想到し得ることである。
　よって、本件の請求項１に係る発明は、刊行物１に記載された発明に基づいて当業者が容易に発明をすることができたものであるから、その特許は、特許法第２９条第２項の規定に違反してなされたものである。
　
６．本件の請求項２に係る発明の特許について
　本件の請求項２に係る発明と刊行物１に記載された発明とを対比すると、相違点１のほかに、本件の請求項２に係る発明においては、本体は圧迫帯の周方向と直交する幅方向のほぼ中央位置に重心を有しているのに対し、刊行物１に記載された発明においては、本体がどの位置に重心を有しているのかが明確でない点において相違している（以下、相違点２という。）。
　まず、相違点１については前示のとおりである。
　次に、相違点２について検討する。
　本体の重心をどの位置にするかは、本体の安定性等を考慮した上で当業者が適宜選択しうる事項であり、本体の重心を圧迫帯の周方向と直交する幅方向のほぼ中央位置にすることは、当業者であれば容易に想到し得ることである。
　よって、本件の請求項２に係る発明は、刊行物１に記載された発明に基づいて当業者が容易に発明をすることができたものであるから、その特許は、特許法第２９条第２項の規定に違反してなされたものである。
　
７．本件の請求項３に係る発明の特許について
　本件の請求項３に係る発明と刊行物１に記載された発明とを対比すると、相違点１のほかに、本件の請求項３に係る発明においては、本体内には空気系と電気系の両部品が分けて配設されているのに対し、刊行物１に記載された発明においては、本体内で空気系と電気系の両部品が分けて配設されているのかが明確でない点において相違している（以下、相違点３という。）。
　まず、相違点１については前示のとおりである。
　次に、相違点３について検討する。
　空気系と電気系はそもそも別の系であるから、それらの系の部品を分けて配設することは、当業者であれば容易に想到し得ることである。
　よって、本件の請求項３に係る発明は、刊行物１に記載された発明に基づいて当業者が容易に発明をすることができたものであるから、その特許は、特許法第２９条第２項の規定に違反してなされたものである。
　
８．本件の請求項４に係る発明の特許について
　刊行物１の第１図には、本体における表示部を本体における圧迫帯の周方向に沿った方向のほぼ中央に配することが記載されている。
　とすれば、本件の請求項３に係る発明と刊行物１に記載された発明との相違点は、相違点１だけとなるが、相違点１については既に検討済みである。
　よって、本件の請求項４に係る発明は、刊行物１に記載された発明に基づいて当業者が容易に発明をすることができたものであるから、その特許は、特許法第２９条第２項の規定に違反してなされたものである。
　
９．本件の請求項５に係る発明の特許について
　本件の請求項５に係る発明と刊行物１に記載された発明とを比較すると、相違点１のほかに、本件の請求項５に係る発明においては、本体内に配された電磁弁で形成されている急速排気弁は、その閉塞部材による閉塞のための移動方向と閉塞部材の自重移動方向とが一致する方向に配されているのに対し、刊行物１に記載された発明においては、急速排気弁が設けられているのかが明確でなく、また、急速排気弁の閉塞部材による閉塞のための移動方向と閉塞部材の自重移動方向とが一致する方向に配されていない点において相違している（以下、相違点４という。）。
　まず、相違点１については前示のとおりである。
　次に、相違点４について検討する。
　急速排気弁自体はこの出願前に公知であるが、急速排気弁の閉塞部材による閉塞のための移動方向と閉塞部材の自重移動方向とが一致する方向に配する構成は、安藤義和が提出した甲第１号証ないし甲第３号証及び参考資料１ないし５や村野親が提出した甲第２号証ないし甲第１１号証には記載されておらず、また、当該構成を採用することにより特許明細書の段落【００１２】に記載された効果を奏するのであるから、刊行物１に記載された発明において当該構成を採用することが当業者にとって容易に想到し得ることであるとはいえない。
　よって、本件の請求項５に係る発明の特許は、特許法第２９条第２項の規定に違反してなされたものであるとはいえない。
　
１０．本件の請求項６に係る発明の特許について
　刊行物１に記載された発明において、本体と圧迫帯とは本体２とクリップ板１５のマウント部１６での係合で連結されているが、マウント部１６はフック状である（第２図、第３図を参照のこと。）から、フックによる係合であるといえる。また、刊行物１に記載された発明において、本体における圧迫帯の周方向に沿った両端は、係合部であるマウント部よりも外側に張り出している。
　とすれば、本件の請求項６に係る発明と刊行物１に記載された発明との相違点は、上記相違点１だけとなるが、相違点１については既に検討済みである。
　よって、本件の請求項６に係る発明は、刊行物１に記載された発明に基づいて当業者が容易に発明をすることができたものであるから、その特許は、特許法第２９条第２項の規定に違反してなされたものである。
　
１１．本件の請求項７に係る発明の特許について
　本件の請求項７に係る発明と刊行物１に記載された発明とを対比すると、相違点１のほかに、本件の請求項７に係る発明においては、本体が腕や手首のほぼ半周を囲む長さとされているクリップ板の一端寄りに連結されているのに対し、刊行物１に記載された発明においては、本体がクリップ板のほぼ中央で連結されている点において相違している（以下、相違点５という。）。
　まず、相違点１については前示のとおりである。
　次に、相違点５について検討する。
　血圧計の本体を腕や手首のほぼ半周を囲む長さとされているクリップ板の一端寄りに連結する構成は、安藤義和が提出した甲第１号証ないし甲第３号証及び参考資料１ないし５や村野親が提出した甲第２号証ないし甲第１１号証には記載されておらず、また、当該構成を採用することにより特許明細書の段落【００１３】に記載された効果を奏するのであるから、刊行物１に記載された発明において当該構成を採用することが当業者にとって容易に想到し得ることであるとはいえない。
　よって、本件の請求項７に係る発明の特許は、特許法第２９条第２項の規定に違反してなされたものであるとはいえない。
　
１２．むすび
　以上のとおりであるから、本件の請求項１ないし４、６に係る発明の特許は、特許法第２９条第２項の規定に違反してなされたものであるから、同法第１１３条第２号に該当し、取り消されるべきものである。また、本件の請求項５、７に係る発明の特許については、取消理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年８月３０日（２００２．８．３０）
【訂正の要旨】
訂正事項１）：特許請求の範囲の請求項１を、特許請求の範囲の減縮を目的として、
「【請求項１】腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に
重量物である加圧用ポンプユニットや電池を配して、重量物を左右に振り分け配置している
と訂正する。
訂正事項２）：特許明細書の段落【０００５】を、明りょうでない記載の釈明を目的として、
「【課題を解決するための手段】
　しかして本発明は、腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に
重量物である加圧用ポンプユニットや電池を配して、重量物を左右に振り分け配置している
と訂正する。
訂正事項３）：特許明細書の段落【００１４】を、誤記の訂正を目的として、
「【発明の効果】
　以上のように本発明においては、本体における重量物は圧迫帯の周方向に沿った両端
に
と訂正する。
（５４）【発明の名称】
血圧計
（５７）【特許請求の範囲】
　【請求項１】　腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に
重量物である加圧用ポンプユニットや電池を配して、重量物を左右に振り分け配置している
　【請求項２】　本体は圧迫帯の周方向と直交する幅方向のほぼ中央位置に重心を有していることを特徴とする請求項１記載の血圧計。
　【請求項３】　本体内には空気系と電気系の両部品が分けて配設されていることを特徴とする請求項１記載の血圧計。
　【請求項４】　本体における表示部は本体における圧迫帯の周方向に沿った方向のほぼ中央に配されていることを特徴とする請求項１記載の血圧計。
　【請求項５】　本体内に配された電磁弁で形成されている急速排気弁は、その閉塞部材による閉塞のための移動方向と閉塞部材の自重移動方向とが一致する方向に配されていることを特徴とする請求項１記載の血圧計。
　【請求項６】　圧迫帯は弾性を有する円弧状のクリップ板を備えて、本体と圧迫帯とは本体とクリップ板とのフックによる係合で連結されているとともに、本体における圧迫帯の周方向に沿った両端は、上記係合部よりも外側に張り出していることを特徴とする請求項１記載の血圧計。
　【請求項７】　圧迫帯は弾性を有する円弧状のクリップ板を備えているとともに、腕や手首のほぼ半周を囲む長さとされているクリップ板の一端寄りに本体が連結されていることを特徴とする請求項１記載の血圧計。
【発明の詳細な説明】
　【０００１】
　【産業上の利用分野】
　本発明は腕や手首に巻き付けられる圧迫帯に、血圧の測定表示部を備えた本体が一体的に取り付けられた血圧計に関するものである。
　【０００２】
　【従来の技術】
　圧迫帯に本体が一体的に取り付けられた血圧計が各種提供されているが、このものでは、被測定者自身が血圧計を腕や手首に取り付けようとすると、本体の重みのために、圧迫帯を巻き付ける途中でずれ落ちてしまうことが多々ある。このために、圧迫帯内に円弧状で弾性を有するクリップ板を内蔵させて、クリップ板の弾性を利用して腕や手首に嵌めつけた後に巻き付けを行えるようにしたものがある。
　【０００３】
　【発明が解決しようとする課題】
　このクリップ板の存在は、クリップ板が無い場合に比して、被測定者自身による腕や手首への装着をかなり容易にしているが、巻き付けのために圧迫帯の一端を引っ張った時にずれてしまい、腕や手首まわりの方向において、血圧計がずれてしまうことが多々ある。
　【０００４】
　本発明はこのような点に鑑み為されたものであり、その目的とするところは腕や手首への片手による装着をより容易に行うことができる血圧計を提供するにある。
　【０００５】
　【課題を解決するための手段】
　しかして本発明は、腕や手首に巻き付けられる圧迫帯に、血圧の測定表示部を備えた本体が一体的に取り付けられた血圧計において、本体は左右の斜め下方に張り出す一対の収納部を備えて環状になっている圧迫帯の外周面に添う形状とされているとともに、本体における圧迫帯の周方向に沿った両端に位置する上記両収納部内に
重量物である加圧用ポンプユニットや電池を配して、重量物を左右に振り分け配置している
　【０００６】
　【作用】
　本発明によれば、本体において重量物が圧迫帯の周方向に沿った両端に振り分けられて配設されているために、本体が低重心となり、腕や手首への装着時に本体が安定した状態を保つものであって、ずれるおそれが少なくなる。
　【０００７】
　【実施例】
　以下本発明を図示の実施例に基づいて詳述すると、図示例の血圧計は、図４に示すように、手首に装着して使用するものであって、手首に巻き付けられる帯状の圧迫帯２は、図１に示すように、手首をほぼ一周する長さを有している阻血袋２０と、阻血袋２０の外周を囲んでいる優円弧状のクリップ板２１とを内蔵しており、一端外面と他端内面とには互いに係着自在な面状ファスナー２２，２３が取り付けられている。ここにおけるクリップ板２１は、合成樹脂からなる弾性を有するもので、圧迫帯２の手首への装着を容易とするとともに、阻血袋２０の外面側への膨張を規制する。
　【０００８】
　一方、本体１はその片側に電池収納部１１を、他方側にポンプユニット３を収納するポンプ収納部１２を張り出したもので、中央部上面には表示部１５とスイッチ１６，１７とが配設され、中央部内に回路基板１３，１３や液晶表示板１４が配設されており、圧迫帯２には上記クリップ板２１の外面から突設されて本体１の中央部底面側に係合する複数個のフック２４によって取り付けられ、この時、図３に示すように、上記ポンプユニット３と阻血袋２０とがノズル３０を通じて連通し、回路基板１３上に設けられた圧力センサー１８と阻血袋２０とがノズル１９を通じて連通する。図中２５はノズル１９，３０部分からの空気漏れを防ぐパッキンである。
　【０００９】
　ここにおいて、本体１の上記電池収納部１１とポンプ収納部１２とは、本体１中央部から両側に夫々斜め下方に向けて張り出して本体１の中央部底面が両収納部１１，１２間において凹部となるように構成されており、中央部底面に圧迫帯２を連結した時、クリップ板２１によって円弧状を保っている圧迫帯２の外面に周方向において本体１が添うものとなっている。このために、圧迫帯２を手首に巻き付けるにあたってクリップ板２１を撓ませる時、図１に鎖線で示すように、クリップ板２１の撓みが本体１によって制限されるものであり、クリップ板２１を大きく撓ませた時に生ずるおそれがあるフック２４の外れが起きることがない。つまり、圧迫帯２と本体１との連結組立はフック２４の利用で簡単に行えるものの、このフック２４による連結は簡単には外れないようになっているものである。
　【００１０】
　また、本体１において一方に張り出した電池収納部１１には重量物である電池６が納められ、他方に張り出したポンプ収納部１２には同じく重量物であるポンプユニット３が納められて、全体としての重心が本体１の中央下部に位置するようにされているために、圧迫帯２を手首に巻き付けるに際して、手首を上に向けた状態でクリップ板２１を撓ませて手首に被せた時、図６に示すように、電池６の重心Ｐａとポンプユニット３の重心Ｐｂとが左右に振り分けられるものであり、安定した状態を保つことができて、上記面状ファスナー２２，２３を係着させることによる巻き付け作業を片手で行うことが容易となっている。さらに、面状ファスナー２２，２２を係着させるために圧迫帯２の端部を引っ張った時に本体１の位置が図７に示すように少々ずれたとしても、重量物である電池６とポンプユニット３との重心位置の関係から本体１全体の重心も低重心となっているために、手首からずれ落ちてしまうことはない。
　【００１１】
　なお、本体１の形状とクリップ板２１を内蔵しているために圧迫帯２が優円弧状となっていることの関係、並びに表示部１５の保護の点から、この血圧計を机上に置く時には、図８に示すように、立てた状態で置くことになるが、この時、どちらを下にして置いても安定した状態を保つように、本体１全体の重心を上述のように幅方向の中央に置くだけでなく、直交する方向においても中央に位置するようにしており、この条件を満足するために、図示例のものにおいては、本体１の片側に電池６を、他側にポンプユニット３を配置し、本体１の中央部の上層側には電子部品を、下層には空気系の配管を配している。これは、図５に示すように、電気系部材Ｃと、空気系であるポンプユニット３及び配管との組立性の利便も向上させることになっている。
　【００１２】
　更に、上記ポンプユニット３は、図２に示すように、モータ３１と加圧ポンプ３２とに加えて、加圧ポンプ３２に夫々チューブ３５で接続した急速排気弁３３と徐々排気弁３４を備えたものとなっており、そして急速排気弁３３としては、図９に示すように、ヨーク３３０とコイルボビン３３１とコイル３３２とプランジャー３３４とからなる電磁弁として形成されるとともに、プランジャー３３４を復帰ばね３３５に抗して吸引した時にバルブ部３３６が閉じられるものを用いているのであるが、バルブ部３３６を閉じるためのプランジャー３３４の移動方向をＭとする時、図６及び図７に示すように、手首に装着した時に、この方向Ｍが斜め下方を向くようにしてある。つまり、プランジャー３３４が自重で復帰ばね３３５を圧縮する方向となっている。このために、加圧ポンプ３３２で阻血袋２０を加圧している間と、徐々排気弁３４から排気を行って血圧測定を行う測定中との間の急速排気弁３３の閉塞動作である復帰ばね３５に抗したプランジャー３３４の吸引移動に際して、プランジャー３３４の自重に逆らう必要がなく、コイル３３２に流す電流が少なくてすむものであり、電池６の寿命を長くすることができる。
　【００１３】
　図１０及び図１１に他の実施例を示す。これは圧迫帯２に設けたクリップ板２１を手首のほぼ半周強を囲む長さとするとともに、このクリップ板２１の一端側に寄せたところに本体１を連結したもので、ポンプユニット３から阻血袋２０に空気を送って膨張させると、阻血袋２０におけるクリップ板２１で囲んでいないところがクリップ板２１で囲まれたところよりも大きく膨張するために、阻血袋２０の膨張前の状態に比して、本体１が角度θだけ傾き、この結果、片手に取り付けた血圧計における本体１の表示部１５が被測定者にとって見やすくなる。
　【００１４】
　【発明の効果】
　以上のように本発明においては、本体における重量物は圧迫帯の周方向に沿った両端
に
【図面の簡単な説明】
　【図１】
　一実施例の縦断面図である。
　【図２】
　同上の本体の破断平面図である。
　【図３】
　同上の横断面図である。
　【図４】
　同上の斜視図である。
　【図５】
　同上のブロック図である。
　【図６】
　同上の重量配分を示す説明図である。
　【図７】
　同上の重量配分を示す説明図である。
　【図８】
　同上の斜視図である
　【図９】
　同上の急速排気弁の破断正面図である。
　【図１０】
　他の実施例の縦断面図である。
　【図１１】
　同上の斜視図である。
　【符号の説明】
　　１　本体
　　２　圧迫帯
　　３　ポンプユニット
　　６　電池
　２１　クリップ板
　２４　フック